(57)【特許請求の範囲】
【請求項１】
四隅の柱の上下端を梁で連結した略直方体状の骨組みを有する建物ユニットであって、
前記骨組みの前記梁のうち、少なくとも一つの梁は、その中間部分に平面視でコ字形状に折れ曲がった折曲部が設けられている折曲梁であり、
前記折曲梁は、互いに対向する端面間に所定寸法の間隔が設けられて配置された一対の梁部材と、前記一対の梁部材と間隔をおいて平行に配置された棒状部材と、当該棒状部材の端部および前記梁部材の端部を相互に連結する一対の連結部材とを有し、
前記連結部材は、ブラケットと、補強プレートとを備えて構成され、
前記ブラケットは、前記棒状部材の端部と、前記梁部材の前記棒状部材の端部に対向する位置と、前記梁部材の端部と、前記棒状部材の前記梁部材の端部に対向する位置との４箇所に固定され、
前記補強プレートは、端縁が前記ブラケットの上面と、前記梁部材に設けられたフランジ部分および前記棒状部材に設けられたフランジ部分との間に挟み込まれていることを特徴とする建物ユニット。
【請求項２】
四隅の柱の上下端を柱で連結した略直方体状の骨組みを有する複数の建物ユニットで形成されたユニット式建物であって、
前記複数の建物ユニットとして、四隅の柱の上下端を梁で連結した略直方体状の骨組みを有するとともに、この骨組みの梁の少なくとも一つがその中間部分に平面視でコ字形状に折れ曲がった折曲部が設けられている折曲梁である吹抜用建物ユニットを含み、
前記折曲梁は、互いに対向する端面間に所定寸法の間隔が設けられて配置された一対の梁部材と、前記一対の梁部材と間隔をおいて平行に配置された棒状部材と、当該棒状部材の端部および前記梁部材の端部を相互に連結する一対の連結部材とを有し、
前記連結部材は、ブラケットと、補強プレートとを備えて構成され、
前記ブラケットは、前記棒状部材の端部と、前記梁部材の前記棒状部材の端部に対向する位置と、前記梁部材の端部と、前記棒状部材の前記梁部材の端部に対向する位置との４箇所に固定され、
前記補強プレートは、端縁が前記ブラケットの上面と、前記梁部材に設けられたフランジ部分および前記棒状部材に設けられたフランジ部分との間に挟み込まれ、
前記折曲部の内側には、吹き抜け空間が設けられていることを特徴とするユニット式建物。
【請求項３】
請求項２に記載のユニット式建物において、前記折曲部が内側に退いて設けられた凹形折曲梁を天井側に有する一対の吹抜用下階建物ユニットが、その折曲部を対向させて配置され、前記凹形折曲梁を床側に有する一対の吹抜用上階建物ユニットが、その折曲部を対向させて、前記一対の吹抜用下階建物ユニットの上に配置されており、前記上下に重なり合う吹抜用下階建物ユニットおよび前記吹抜用上階建物ユニットの前記折曲部は、同一平面位置に配置されていることを特徴とするユニット式建物。
【請求項４】
請求項２に記載のユニット式建物において、前記折曲部が外側に突出して設けられた凸形折曲梁を天井側に有する一方の下階吹抜用建物ユニットと、前記折曲部が内側に退いて設けられた凹形折曲梁を天井側に有する他方の吹抜用下階建物ユニットとで構成される一対の吹抜用下階建物ユニットが、前記他方の吹抜用下階建物ユニットの前記折曲部に前記一方の吹抜用下階建物ユニットの前記折曲部が嵌合されて配置され、
前記凸形折曲梁を床側に有する一方の吹抜用上階建物ユニットと、前記凹形折曲梁を床側に有する他方の吹抜用上階建物ユニットとで構成される一対の吹抜用上階建物ユニットが、前記他方の吹抜用上階建物ユニットの前記折曲部に前記一方の吹抜用上階建物ユニットの前記折曲部が嵌合されて、前記一対の吹抜用下階建物ユニットの上に配置されており、前記上下に重なり合う吹抜用下階建物ユニットおよび前記吹抜用上階建物ユニットの前記折曲部は、同一平面位置に配置されていることを特徴とするユニット式建物。
【発明の詳細な説明】
【０００１】
【発明の属する技術分野】
本発明は、略直方体状の骨組みを有する建物ユニット、およびこの建物ユニットを含んで建築されたユニット式建物に関するものである。
【０００２】
【背景技術】
従来より、工場で製造した箱状の建物ユニットを、建築現場で複数組み合わせて建築されるユニット式建物が利用されている。
ユニット式建物を形成する建物ユニットとしては、四隅の柱の上下端を天井梁および床梁で連結した直方体状の骨組みを有するものが一般的である。建物ユニットの骨組みには、天井梁に支持される天井面材、床梁に支持される床面材および部屋を仕切る間仕切り壁等の内装材や、軽量気泡コンクリート等で形成された外壁材等が工場で組み付けられる。
このようなユニット式建物によれば、工場において、建物ユニットに対して内装材や外壁材の組付作業まで工場で行い、後は、建物ユニットの接合作業を行うだけで、建物が完成するようにしているので、建築現場での作業が大幅に軽減され、建築工事を短期間で完了することができるというメリットが得られる。
この際、居室等のレイアウトの自由度を高める場合等に、相互に隣接する建物ユニットの境界に沿って、階段室等の吹き抜け空間を設けるために、建物ユニットの側面から内側へ外れた位置に設けられる、いわゆるオフセット梁となっている建物ユニットを利用することが知られている（特開平１０−２１９８４０号公報等参照）。
【０００３】
【発明が解決しようとする課題】
しかしながら、このようなオフセット梁を有する建物ユニットでは、当該オフセット梁の間に吹き抜け空間を設けなければならないので、吹き抜け空間の位置が限定されることがあり、これにより、これ以上居室等のレイアウトの自由度を高めることが困難となっているという問題がある。
【０００４】
本発明の目的は、居室等のレイアウトの自由度を高めることが可能な建物ユニットおよびユニット式建物を提供することにある。
【０００５】
【課題を解決するための手段】
本発明の第１発明は、図面を参照して説明すると、四隅の柱３の上下端を梁４、５で連結した略直方体状の骨組み６Ｂを有する建物ユニット１０Ｂ、２０Ｂであって、この骨組み６Ｂの梁４、５のうち、少なくとも一つの梁は、その中間部分に平面視でコ字形状に折れ曲がった折曲部４０、５０が設けられている折曲梁４Ｃ、５Ｃであり、折曲梁４Ｃ、５Ｃは、互いに対向する端面間に所定寸法の間隔が設けられて配置された一対の梁部材６１と、一対の梁部材６１と間隔をおいて平行に配置された棒状部材６２と、当該棒状部材６２の端部および梁部材６１の端部を相互に連結する一対の連結部材６３とを有し、連結部材は、ブラケット６３Ａと、補強プレート６３Ｂとを備えて構成され、ブラケット６３Ａは、棒状部材の端部と、梁部材の棒状部材の端部に対向する位置と、梁部材の端部と、棒状部材の梁部材の端部に対向する位置との４箇所に固定され、補強プレート６３Ｂは、端縁がブラケットの上面と、梁部材に設けられたフランジ部分および棒状部材に設けられたフランジ部分との間に挟み込まれていることを特徴とする。
このような本発明では、相互に隣接する建物ユニットの境界部分に配置される梁を折曲梁にするとともに、このような建物ユニットを二段に重ねれば、当該建物ユニットの境界部分に跨って上下階を連通する吹き抜け空間を形成することが可能となる。
この際、折曲梁を天井側に設ければ、上下階を連通する吹き抜け空間を形成する下階の建物ユニットが形成でき、折曲梁を床側に設ければ、前述の吹き抜け空間を形成する上階の建物ユニットが形成できる。
その上、折曲梁の長手方向における折曲部の位置や、折曲梁の数を適宜設定すれば、所望の位置に吹き抜け空間を設けることが可能となり、従来においては配置できない位置にも吹き抜け空間が形成可能となる。これにより、従来に比べて、吹き抜け空間の位置の制限が緩和され、居室等のレイアウトの自由度を高めることが可能となっている。
また、一対の梁部材の端面間の寸法や、梁部材と棒状部材との間の寸法に応じて、連結部材の強度を調整することで、折曲部を設けても、建物ユニットの骨組みの剛性が損なわれることがない。これにより、様々な大きさの吹き抜け空間を容易に形成することが可能となる。
【０００７】
本発明の第２発明は、図面を参照して説明すると、四隅の柱３の上下端を柱３で連結した略直方体状の骨組みを有する複数の建物ユニット１０、２０で形成されたユニット式建物１であって、複数の建物ユニット１０、２０として、四隅の柱３の上下端を梁４、５で連結した略直方体状の骨組み６Ｂを有するとともに、この骨組み６Ｂの梁４、５の少なくとも一つがその中間部分に平面視でコ字形状に折れ曲がった折曲部４０、５０が設けられている折曲梁４Ｃ，５Ｃである吹抜用建物ユニット１０Ｂ、２０Ｂを含み、折曲梁４Ｃ、５Ｃは、互いに対向する端面間に所定寸法の間隔が設けられて配置された一対の梁部材６１と、一対の梁部材６１と間隔をおいて平行に配置された棒状部材６２と、当該棒状部材６２の端部および梁部材６１の端部を相互に連結する一対の連結部材６３とを有し、連結部材は、ブラケット６３Ａと、補強プレート６３Ｂとを備えて構成され、ブラケット６３Ａは、棒状部材の端部と、梁部材の棒状部材の端部に対向する位置と、梁部材の端部と、棒状部材の梁部材の端部に対向する位置との４箇所に固定され、補強プレート６３Ｂは、端縁がブラケットの上面と、梁部材に設けられたフランジ部分および棒状部材に設けられたフランジ部分との間に挟み込まれ、折曲部４０、５０の内側には、吹き抜け空間（例えば、階段室３５）が設けられていることを特徴とする。
このような本発明では、相互に隣接する吹抜用建物ユニットの境界部分に配置される梁を折曲梁にするとともに、このような吹抜用建物ユニットを二段に重ねれば、当該吹抜用建物ユニットの境界部分に跨って上下階を連通する吹き抜け空間を形成することが可能となる。
その上、折曲梁の長手方向における折曲部の位置や、折曲梁の数を適宜設定すれば、所望の位置に吹き抜け空間を設けることが可能となり、従来においては配置できない位置にも吹き抜け空間が形成可能となる。これにより、ユニット式建物内に居室等をレイアウトするにあたり、従来に比べて、その自由度を高めることが可能となっている。
【０００８】
以上において、折曲部４０が内側に退いて設けられた凹形折曲梁４Ｃを天井側に有する一対の吹抜用下階建物ユニット１０Ｂが、その折曲部４０を対向させて配置され、凹形折曲梁５Ｃを床側に有する一対の吹抜用上階建物ユニット２０Ｂが、その折曲部５０を対向させて、一対の吹抜用下階建物ユニット１０Ｂの上に配置されており、上下に重なり合う吹抜用下階建物ユニット１０Ｂおよび吹抜用上階建物ユニット２０Ｂの折曲部４０、５０は、同一平面位置に配置されていることが好ましい。
このように吹抜用建物ユニットを配置すれば、折曲梁の長手方向に沿って、つまり、吹抜用建物ユニットの境界部分に沿って延びる細長い吹き抜け空間が形成可能となるので、傾斜が緩やかな階段を備えた階段室等を設けることが可能となり、高齢者等の便宜を図ったユニット式建物を建築することが可能となる。
【０００９】
また、折曲部４０が外側に突出して設けられた凸形折曲梁４Ｅを天井側に有する一方の吹抜用下階建物ユニット１０Ｄと、折曲部４０が内側に退いて設けられた凹形折曲梁４Ｄを天井側に有する他方の吹抜用下階建物ユニット１０Ｃとで構成される一対の吹抜用下階建物ユニット１０Ｃ、１０Ｄが、他方の吹抜用下階建物ユニット１０Ｄの折曲部４０に一方の吹抜用下階建物ユニット１０Ｃの折曲部４０が嵌合されて配置され、凸形折曲梁５Ｅを床側に有する一方の吹抜用上階建物ユニット２０Ｄと、凹形折曲梁５Ｄを床側に有する他方の吹抜用上階建物ユニット２０Ｃとで構成される一対の吹抜用上階建物ユニット２０Ｃ、２０Ｄが、他方の吹抜用上階建物ユニット２０Ｄの折曲部５０に一方の吹抜用上階建物ユニット２０Ｃの折曲部５０が嵌合されて、一対の吹抜用下階建物ユニット１０Ｃ、１０Ｄの上に配置されており、上下に重なり合う吹抜用下階建物ユニット１０Ｃ、１０Ｄおよび吹抜用上階建物ユニット２０Ｃ、２０Ｄの折曲部４０、５０は、同一平面位置に配置されていることが望ましい。
このようにすれば、通常の建物ユニットでは、梁が障害物となって、階段が二つの建物ユニットに跨っている階段室を形成できなかった場合でも、折曲部の内側に、階段室を配置することにより、梁が障害物とならず、例えば、階段室を建物ユニットの短辺方向に配置しても、傾斜が緩やかな階段を備えた階段室等を設けることが可能となり、高齢者等の便宜を図ったユニット式建物を建築することが可能となる。
【００１０】
【発明の実施の形態】
以下に本発明の実施の形態を図面に基づいて説明する。
図１には、本発明の第１実施形態に係るユニット式建物１が示されている。
このユニット式建物１は、基礎２上において、箱状に形成された複数の建物ユニット１０、２０を組み合わせたものである。
ユニット式建物１の一階部分には、下階建物ユニット１０Ａ、１０Ｂが相互に接合された状態で配置されている。
ユニット式建物１の二階部分には、上階建物ユニット２０Ａ、２０Ｂが相互に接合された状態で配置されている。
【００１１】
これらのうち、下階建物ユニット１０Ａおよび上階建物ユニット２０Ａは、図２に示されるように、四隅の柱３の上下端を天井梁４および床梁５で連結した直方体状の骨組み６Ａを有する通常の建物ユニットである。
建物ユニット１０Ａ、２０Ａの天井梁４としては、長さの異なる長辺天井梁４Ａおよび短辺天井梁４Ｂの二種類が設けられている。建物ユニット１０Ａ、２０Ａの床梁５としては、天井梁４と同様に、長さの異なる長辺床梁５Ａおよび短辺床梁５Ｂの二種類が設けられている。
対向する長辺天井梁４Ａの間には、天井を形成する図示しない天井面材を支持するための天井小梁７が架け渡されている。対向する長辺床梁５Ａの間には、床を形成する図示しない床面材を支持するための複数の床根太８が架け渡されている。
【００１２】
下階建物ユニット１０Ｂは、図３に示されるように、四隅の柱３の上下端を天井梁４および床梁５で連結した略直方体状の骨組み６Ｂを有する吹抜用下階建物ユニットである。
建物ユニット１０Ｂの天井梁４としては、長さの異なる長辺天井梁４Ａおよび短辺天井梁４Ｂの二種類が設けられている。建物ユニット１０Ｂの床梁５としては、天井梁４と同様に、長さの異なる長辺床梁５Ａおよび短辺床梁５Ｂの二種類が設けられている。
【００１３】
一対の長辺天井梁４Ａのうちの隣接配置される建物ユニット１０Ｂの境界部分に配置される一方の梁は、その中間部分に平面視で内側に退くようにコ字形状に折れ曲がった折曲部４０を有する凹形折曲梁４Ｃとなっている。
【００１４】
対向する長辺天井梁４Ａの間には、天井を形成する図示しない天井面材を支持するための天井小梁７が架け渡されている。一方、対向する長辺床梁５Ａの間には、床を形成する図示しない床面材を支持するための複数の床根太８が架け渡されている。
ここで、二つの建物ユニット１０Ｂは、前述した折曲部４０を対向させた状態で隣接配置されている。これにより、二つの建物ユニット１０Ｂの天井の境界部分には、開口３０が形成されている。
【００１５】
上階建物ユニット２０Ｂは、下階建物ユニット１０Ｂと同様に、四隅の柱３の上下端を天井梁４および床梁５で連結した略直方体状の骨組み６Ｂを有する吹抜用上階建物ユニットである。
建物ユニット２０Ｂの天井梁４としては、長さの異なる長辺天井梁４Ａおよび短辺天井梁４Ｂの二種類が設けられている。建物ユニット１０Ｂの床梁５としては、天井梁４と同様に、長さの異なる長辺床梁５Ａおよび短辺床梁５Ｂの二種類が設けられている。
【００１６】
一対の長辺床梁５Ａのうちの隣接配置される建物ユニット２０Ｂの境界部分に配置される一方の梁は、その中間部分に平面視で内側に退くようにコ字形状に折れ曲がった折曲部５０を有する凹形折曲梁５Ｃとなっている。
【００１７】
対向する長辺天井梁４Ａの間には、天井を形成する図示しない天井面材を支持するための天井小梁７が架け渡されている。一方、対向する長辺床梁５Ａの間には、床を形成する図示しない床面材を支持するための複数の床根太８が架け渡されている。
ここで、二つの建物ユニット２０Ｂは、前述した折曲部５０を対向させた状態で隣接配置されている。これにより、二つの建物ユニット２０Ｂの天井の境界部分には、開口３１が形成されている。
【００１８】
これら建物ユニット１０Ｂおよび建物ユニット２０Ｂの折曲部４０、５０は、同一平面位置に配置されている。従って、開口３０と開口３１とを重ね合わすことにより、折曲部４０、５０の内側に一階と二階とを連通する吹き抜け空間が形成されるようになっている。
この吹き抜け空間は、一階と二階とを連通するとともに、各凹形折曲梁４Ｃ、５Ｃの長手方向に沿って、つまり、それぞれ二つの建物ユニット１０Ｂ、２０Ｂの境界部分に沿って細長く形成されている。
ここでは、この吹き抜け空間に階段３２が設けられ、当該吹き抜け空間が階段室３５となっている。
従って、この吹き抜け空間に設けられる階段３２は、当該吹き抜け空間が細長く形成されているので、傾斜を緩やかにすることが可能となっている。
なお、この吹き抜け空間の位置は、凹形折曲梁４Ｃ、５Ｃの長手方向における折曲部４０、５０の位置等を適宜設定することで、所望の位置に設けることが可能となっている。
【００１９】
凹形折曲梁４Ｃ、５Ｃは、図４（Ａ）、（Ｂ）に示されるように、柱３から延出され、互いに対向する端面間に所定寸法の間隔が設けられて配置された断面コ字形状の一対の梁部材６１と、この一対の梁部材６１と間隔をおいて平行に配置された断面Ｉ字形状の棒状部材６２と、当該棒状部材６２の長手方向に沿った両端部および梁部材６１の長手方向に沿った各端部を相互に連結する連結部材６３とを有して形成されている。この棒状部材６２および連結部材６３で、平面視でコ字形状の折曲部４０、５０が形成されている。
【００２０】
連結部材６３は、棒状部材６２の端部、梁部材６１の端部およびそれぞれの端部に対向する位置の４箇所に溶接等で固定されている板状のブラケット６３Ａと、端縁がブラケット６３Ａの上面および各梁部材６１、棒状部材６２のフランジ部分の間に挟み込まれている四角板状の補強プレート６３Ｂと、これらブラケット６３Ａおよび補強プレート６３Ｂの側面を隠蔽するとともに、梁部材６１および棒状部材６２の間に嵌め込まれる断面コ字形状のカバー材６３Ｃとを備えている。
【００２１】
次に、このような吹き抜け空間の形成手順を以下に説明する。
まず、工場で建物ユニット１０Ｂ、２０Ｂを製造するに当たり、建物ユニット１０Ｂには、凹形折曲梁４Ｃを天井側に設け、２つ形成するとともに、建物ユニット２０Ｂには、凹形折曲梁５Ｃを床側に設け、２つ形成する。
完成した建物ユニット１０Ｂ、２０Ｂを建築現場で組み合わせ、ユニット式建物１を構築する。
この際、２つの建物ユニット１０Ｂを、その境界部分に凹形折曲梁４Ｃが配置されるように隣接配置する。次いで、建物ユニット１０Ｂの上に、凹形折曲梁５Ｃを対向させて２つの建物ユニット２０Ｂを隣接配置する。
すると、建物ユニット１０Ｂと建物ユニット２０Ｂとを上下に重ねると、凹形折曲梁４Ｃ、５Ｃに設けられている折曲部４０、５０が同一平面位置に配置され、これにより、上下階に連通する吹き抜け空間が形成される。
【００２２】
このような本実施形態によれば、次のような効果が得られる。
すなわち、相互に隣接する建物ユニット１０Ｂ、２０Ｂの境界部分に配置される梁４Ａ、５Ａを凹形折曲梁４Ｃ、５Ｃにするとともに、このような建物ユニット１０Ｂ、２０Ｂを二段に重ねたので、当該建物ユニット１０Ｂ、２０Ｂの境界部分に跨って上下階を連通する吹き抜け空間を形成することができる。
その上、凹形折曲梁４Ｃ、５Ｃの長手方向における折曲部４０、５０の位置を適宜設定することで、所望の位置に吹き抜け空間を設けることができるので、従来においては配置できない位置にも吹き抜け空間が形成できる。これにより、従来に比べて、吹き抜け空間の位置の制限が緩和され、居室等のレイアウトの自由度を高めることができる。
【００２３】
また、凹形折曲梁４Ｃ、５Ｃを、一対の梁部材６１、棒状部材６２、連結部材６３で形成したので、一対の梁部材６１の端面間の寸法や、梁部材６１と棒状部材６２との間の寸法に応じて、連結部材６３の強度を調整することで、折曲部４０、５０を設けても、建物ユニット１０Ｂ、２０Ｂの骨組み６Ｂの剛性が損なわれることがない。これにより、様々な大きさの吹き抜け空間を容易に形成することができる。
【００２４】
さらに、凹形折曲梁４Ｃ、５Ｃの長手方向に沿って、つまり、各建物ユニット１０Ｂ、２０Ｂの境界部分に沿って延びる細長い吹き抜け空間を形成し、傾斜が緩やかな階段３２を備えた階段室３５等を設けることが可能なので、高齢者等の便宜を図ったユニット式建物１を建築することができる。
【００２５】
図５には、本発明の第２実施形態に係る吹き抜け空間が示されている。
本第２実施形態は、前記第１実施形態における各建物ユニット１０Ｂ、２０Ｂの境界部分に沿って形成した階段室３５を、建物ユニット１０Ｃ、１０Ｄ、２０Ｃ、２０Ｄの各境界部分に沿った方向と交差する方向に傾斜する階段室３５としたものである。
【００２６】
すなわち、骨組み６Ｃを有する建物ユニット１０Ｃの一対の長辺天井梁４Ａのうちの一方の梁は、その中間部分に平面視で内側に退くようにコ字形状に折れ曲がった折曲部４０を有する凹形折曲梁４Ｄとなっている。
一方、骨組み６Ｄを有する建物ユニット１０Ｄの一対の長辺天井梁４Ａのうちの一方の梁は、外側に突出するように平面視でコ字形状に折れ曲がった折曲部４０を有する凸形折曲梁４Ｅとなっている。
これら一対の建物ユニット１０Ｃ、１０Ｄは、建物ユニット１０Ｄの凸形の折曲部４０が、建物ユニット１０Ｃの凹形の折曲部４０に嵌合され、折曲部４０同士が相互に連結されて隣接配置されている。これにより、二つの建物ユニット１０Ｃ、１０Ｄの天井の境界部分には、開口３３が形成されている。
【００２７】
さらに、骨組み６Ｃを有する建物ユニット２０Ｃの一対の長辺床梁５Ａのうちの一方の梁は、その中間部分に平面視で内側に退くようにコ字形状に折れ曲がった折曲部５０を有する凹形折曲梁５Ｄとなっている。
一方、骨組み６Ｄを有する建物ユニット２０Ｄの一対の長辺床梁５Ａのうちの一方の梁は、外側に突出するように平面視でコ字形状に折れ曲がった折曲部５０を有する凸形折曲梁５Ｅとなっている。
これら一対の建物ユニット２０Ｃ、２０Ｄは、建物ユニット２０Ｄの凸形の折曲部５０が、建物ユニット２０Ｃの凹形の折曲部５０に嵌合され、折曲部５０同士が相互に連結されて隣接配置されている。これにより、二つの建物ユニット２０Ｃ、２０Ｄの天井の境界部分には、開口３４が形成されている。
【００２８】
これら建物ユニット１０Ｃ、１０Ｄおよび建物ユニット２０Ｃ、２０Ｄの折曲部４０、５０は、同一平面位置に配置されている。従って、開口３３と開口３４とを重ね合わすことにより、折曲部４０、５０の内側に一階と二階とを連通する吹き抜け空間が形成される。
この吹き抜け空間は、建物ユニット１０Ｃ、１０Ｄ、２０Ｃ、２０Ｄの各境界部分に沿った方向と交差する方向に沿って延びている。
ここでは、この吹き抜け空間に階段３２が設けられ、当該吹き抜け空間が階段室３５となっている。
従って、この吹き抜け空間に設けられる階段３２は、当該吹き抜け空間が細長く形成されているので、傾斜を緩やかにすることが可能となっている。
【００２９】
凹形折曲梁４Ｄ、５Ｄは、前記第１実施形態の凹形折曲梁４Ｃ、５Ｃと同様の構造および形状を有している。
凸形折曲梁４Ｅ、５Ｅは、凹形折曲梁４Ｄ、５Ｄの折曲部４０、５０を、梁部材６１を中心にして左右対称としたものであり、その構造および形状は、凹形折曲梁４Ｄ、５Ｄと略同じである。
【００３０】
このような本第２実施形態によれば、通常の建物ユニット１０Ａ、２０Ａでは、梁が障害物となって、階段３２が二つの建物ユニット１０Ｃ、１０Ｄ（２０Ｃ、２０Ｄ）に跨っている階段室３５を形成できなかった場合でも、折曲部４０、５０の内側に、階段室３５を配置したので、梁が障害物とならず、傾斜が緩やかな階段３２を備えた階段室３５等を設けることができ、高齢者等の便宜を図ったユニット式建物１を建築することができる。
【００３１】
また、凸形折曲梁４Ｅ、５Ｅに設けられる折曲部４０、５０を、凹形折曲梁４Ｄ、５Ｄに設けられる折曲部４０、５０に嵌合し、折曲部４０、５０同士を相互に連結したので、吹き抜け空間の剛性、ひいては、各折曲梁４Ｄ、５Ｄ、４Ｅ、５Ｅを備えた建物ユニット１０Ｃ、１０Ｄ、２０Ｃ、２０Ｄの剛性を高めることができる。
【００３２】
なお、本発明は前記実施の形態に限定されるものではなく、本発明の目的を達成できる他の構成等を含み、以下に示すような変形等も本発明に含まれる。
例えば、吹き抜け空間を形成するために隣接配置される２つの建物ユニットとしては、そのどちらか一方に折曲梁が設けられていなくてもよい。
すなわち、図６に示されるように、前記第２実施形態で示した図５の建物ユニット１０Ｄ、２０Ｄから外側に突出して設けられていた凸形の折曲部４０、５０を取り外した骨組み６Ｅを有する建物ユニット１０Ｅ、２０Ｅを利用してもよい。この際、隣接する建物ユニット１０Ｃ、１０Ｅ、２０Ｃ、２０Ｅ同士の梁部材６１を相互に連結したり、建物ユニット１０Ｃ、２０Ｃの凹形折曲梁４Ｄ、５Ｄを形成する連結部材６３を隣接する建物ユニット１０Ｅ、２０Ｅ側に延出させて、梁同士を相互に連結することで、吹き抜け空間の剛性を高めればよい。
【００３３】
また、建物ユニットとしては、折曲梁が天井側および床側の一方のみに設けられたものに限らず、例えば、天井側および床側の両方に折曲梁を設けた建物ユニットを利用してもよい。このような天井側および床側の両方に折曲梁を設けた建物ユニットを、前述の上下階を形成する建物ユニットの間に介装すれば、高さ寸法の大き吹き抜け空間を容易に形成することができる。
【００３４】
さらに、建物ユニットとしては、対向する一対の梁の一方のみを折曲梁としたものに限らず、対向する一対の梁の両方を折曲梁とした建物ユニットを利用してもよい。このような建物ユニットを、例えば、前述の隣接配置された建物ユニットの間に介装すれば、複数の吹き抜け空間を形成することができる。
【００３５】
また、建物ユニットとしては、長辺梁を折曲梁としたものに限らず、短辺梁を折曲梁とした建物ユニットを採用してもよい。
【００３６】
【発明の効果】
以上に述べたように、本発明の建物ユニットおよびユニット式建物によれば、居室等のレイアウトの自由度を高めることができるという効果がある。
【図面の簡単な説明】
【図１】本発明の一実施形態におけるユニット式建物を示す斜視図である。
【図２】前記実施形態における通常の建物ユニットの骨組みを示す斜視図である。
【図３】前記実施形態における吹き抜け空間を形成する建物ユニットの骨組みを示す分解斜視図である。
【図４】前記実施形態における凹形折曲梁を示す平面図および断面図である。
【図５】本発明の第２実施形態における吹き抜け空間を形成する建物ユニットの骨組みを示す分解斜視図である。
【図６】本発明の変形例であって、吹き抜け空間を形成する建物ユニットの骨組みを示す分解斜視図である。
【符号の説明】
３  柱
４  天井梁
５  床梁
４Ｃ、４Ｄ、５Ｃ、５Ｄ  凹形折曲梁
４Ｅ、５Ｅ  凸形折曲梁
６Ａ〜６Ｅ  骨組み
１０Ａ〜１０Ｅ、２０Ａ〜２０Ｅ  建物ユニット
３５  吹き抜け空間である階段室
４０、５０  折曲部
６１  梁部材
６２  棒状部材
６３  連結部材
【図１】
0003994556.tif 000002
【図２】
0003994556.tif 000003
【図３】
0003994556.tif 000004
【図４】
0003994556.tif 000005
【図５】
0003994556.tif 000006
【図６】
0003994556.tif 000007